(57)【要約】【課題】犬の排便時の習性を利用し簡単な構造で簡便な使用法及び流通・保管の経済性を備え且つファッション性を兼ね備えた犬用の便座を提供する。【解決手段】円筒形のカップまたは円筒形の底部に、糞便を受け止める部材を用意し合成樹脂袋と水溶性紙袋を設け、犬の糞を受ける構造と輸送・保管時には折り畳み縮小化できる構造を特徴とする。【選択図】　　　　図３
2004016006.tif 000002
【特許請求の範囲】
【請求項１】
円筒形のカップと、前記カップの内側に上部を折り返して前記カップの上縁に被せた合成樹脂製袋と、当該合成樹脂製袋の内側に上部を折り返して前記合成樹脂製袋の上縁に被せた水溶性紙袋と、前記カップに取付けた取っ手とより構成された、犬の糞を受けるようにした便座。
【請求項２】
伸縮自在な円筒形の撥条の内側に上部を折り返して前記撥条の上縁に被せた合成樹脂製袋と、当該合成樹脂製袋の内側に上部を折り返して前記上縁に被せた水溶性紙袋と、前記撥条を支持する取っ手とより構成された、犬の糞を受けるようにした便座。
【請求項３】
前記撥条の頂部を滑動自在に支持すると共に前記撥条の下端部で独立に回転できるように軸に支持された少なくとも２つの支柱を設け、前記支柱を前記軸の周りに回転することにより前記撥条を折り畳み得るようにした請求項２の便座。
【請求項４】
さらに前記支柱のうちの１つの下端部に前記取っ手を上下方向に回転可能に取り付け、前記取っ手を前記円筒形の撥条に向けて折り畳み得るようにした請求項３の便座。
【請求項５】
支柱に装着した複数個の円形のリングと、それらに連動する第２の支柱により円筒形の枠を作り、円筒形の枠の内側に上部を折り返して前記最上部のリングに被せた合成樹脂製袋と、当該合成樹脂製袋の内側に上部を折り返して前記合成樹脂製袋の上縁に被せた水溶性紙袋と、前記リングのうち下側のリングに取り付けた取っ手とより構成され、さらに前記リングを折り畳みのできるようにした犬用の便座。
【請求項６】
前記リングのうち下端部のリングに前記取っ手を上下方向に回転可能に取り付け、前記取っ手を前記支柱に向けて折り畳み得るようにした請求項５の便座。
【発明の詳細な説明】
【０００１】
【発明の属する技術分野】
本発明は、犬の散歩時の糞便の処理を簡易、且つ衛生的に処理することを目的とした。
【０００２】
【従来の技術】
犬の糞便処理は、地面に落下した糞便をスコップで拾いポリエチレン袋に入れるか、ポリエチレン袋を手袋のように使い糞便をつかみ取ってポリエチレン袋を裏返しして生ごみとして出すか、牛乳の紙パックのようなもので掬い取るか、又は小型のパワーシャベルの構造のわに口で拾い取る等の方法で糞便をポリエチレン袋に入れる糞便処理方法であった。
これらの方法は、一旦地面に落下した糞便は、どのように丁寧に取り去っても落下した場所を汚染してしまうし、掬い取るには作業性が悪く土や砂のついた糞便を水洗トイレに流せない等処理にも困る。又、回収後は袋をぶら下げて歩く散歩には不具合なスタイルである。
又、糞を空中で受け止めて、落下した場所を汚染させない犬の糞取り器がある。この種の糞取り器は、長い枝の付いた虫取り網の構造か蓋付きのちり取り状のものか、それらの枝と蓋を取っ手から遠隔操作する複雑な構造のものであって、持ち運び及び使い勝手が悪く、複雑で高価なため数多くの愛犬家が未だに使用していない欠点がある。
【０００３】
【発明が解決しようとする課題】
上記の糞便場所の汚染及び糞便に土や砂を付けない犬の便座を提供する。本発明は、犬の散歩中にあって、飼い主の散歩スタイルのファッション性を保ち、犬の糞が地上に落下する前に円筒形に保持されたポリエチレン袋の内側に用意された水溶性の紙袋で受け止め、取っ手を畳んで持ち運び、水溶性紙袋に付着した糞を水溶性紙袋と共に水洗トイレに流す衛生的で操作容易な安価な犬の便座を提供する。
このように、携帯に便利な犬の便座を普及させ、糞の放置を防止し、清潔な地域の環境を保たせることを、目的とする。
【０００４】
【課題を解決するための手段】
犬の排便の習性として、立ち止まり構えて約１０秒後に排便を開始する。排便完了までの時間は標準的には約２０秒である。本発明は、そのような犬の習性を利用し、犬が排便の姿勢を取ったとき、糞の落下地点に外側を合成樹脂製袋で補強された水溶性の紙袋をカップ状の円筒形の犬用の便座に挿入して犬の糞の落下地点の地面に置き、当該犬の糞を紙袋に受け止め、回収した糞を家に持ち帰り、水洗トイレに流すことを目的にしている。回収した犬の糞は、犬用の便座を逆さまにすると、糞が密着した紙袋と共に容易に犬の糞はトイレに落ちる。
本発明は、犬の糞便習性を十分利用し、安価で実用的且つ確実な犬用の便座を提供するものである。即ち、長尺の取っ手を設けて空中で糞を受け止めるのではなく、犬の排便の習性を利用し糞の落下地点に犬用の便座を差し入れるだけの取っ手を有するのみの簡便な犬用の便座である。
簡便なカップ型の安価な便座と、排便後の便の持ち帰りに便利な取っ手を畳む構造にした便座、及び便座の商品搬送時及び商品保管時に場所をとらない折り畳み式の便座を提供する。
【０００５】
【発明の実施の形態】
以下、本発明の形態を図面に基づいて説明する。図１は、請求項１に対応する実施形態を示す斜視図である。所要の大きさの円筒形のカップ１に糞の落下地点に容易にセットできる取っ手２を付けた構造である。当該カップ１の内側に上部を折り曲げてカップ上縁に被せるようにしてポリエチレン袋３を入れ、そのポリエチレン袋３の内側にトイレットペーパーのような水溶性紙袋４を装着しその上縁を同様にポリエチレン袋の上縁に被せた構造で、用便後は糞便の重量をカップ１及びポリエチレン袋３で受け止めるため、紙袋が破れることはない。糞便後、水溶性紙袋４の上部を閉じれば糞便は隠れる。
回収した糞便５は、家に持ち帰りポリエチレン袋３の端を持って、トイレで犬の便座を逆さにすれば、水溶性紙袋４に付着した糞便５は、水溶性紙袋４と共にトイレに流すことができる。
図２は、犬の便座の資料例を示す図である。図において、５は犬の糞便である。
【０００６】
図３は請求項２に対応する実施形態を示す斜視図である。円筒形のステンレス撥条６（スパイラル又は複数のリング状のもの）の上部を、３個のＬ字型の支柱板７で撥条６に対して滑動自在に冠着する。３個のＬ字型支柱の下部の他端は回転自在にした軸８で３個のＬ字型支柱７を１箇所に纏める。
３個のＬ字型支柱７のうち、１個のＬ字型支柱７−１の下部には図３−１で示すように、取っ手２を連結するための軸受け部材９をＬ字型支柱７−１に溶着している。
当該軸受け部材９に軸１０を介して回転自在に取っ手２を軸着する。取っ手２の先端部の上部の角は、図３−２のａに示す如く丸く角を取ってある。従って、当該取っ手２は、軸１０を介して回動し、Ｌ字型支柱７−１に平行に畳むことができる（図４）。
取っ手２の先端部の下部の角は、図３−２のｂに示す如く角張っていて、取っ手２を水平位置から下へ回動しようとしても、取っ手２の先端部の下部の角ｂが軸受け部材９の内部側面に当たりストッパーとなり、水平位置から下に回動できない（図３）。
このようにして、当該取っ手２を水平に保持して容易に犬の糞便位置に持って行くことができる。
円筒形のステンレス撥条６の内側に、図示していないポリエチレン袋３を入れ、更にその内側にトイレットペーパーのような水溶性紙袋４を装着した構造（図１と同様）で、用便後は糞便の重量は、Ｌ字型支柱７の底面で支えて受け止めるため、水溶性紙袋４が破れることはない。糞便後、水溶性紙袋４の上部を閉じれば糞便は隠れる。
図４に図示しているように糞便後は、取っ手２を上方に畳み、Ｌ字型支柱７−１の上部にあるフック１１に取っ手２を掛ける。当該取っ手２を持って、犬の便座を移動する。
上述のＬ字型の支柱７は３個に限らないことは、いうまでもない。
又、図５に図示しているように、当該犬の便座は商品の輸送、保管に関して支柱７を回転して１箇所に纏め、且つ円筒形のステンレス撥条６を畳んで支柱７と共に紐１２で個縛すれば犬の便座をコンパクトに畳めることが経済的な重要な要素となる。即ち、輸送経費の削減や限られた商品売場の保管用スペースの縮小化は、総合的な商品価値の判定条件になる。このように、保管に場所を取らない構造も優れた特徴の１つである。
【０００７】
図６は請求項２に対応する別の実施形態を示す斜視図である。円筒形のステンレス撥条６の下部は、取っ手２−１に開けられた２個の穴１３を介して固定されていて、カップの形状に成形されている。従って、その使用方法は、請求項１に対応するものと同様であるが、図７の斜視図で示す如く円筒形のステンレス撥条６を畳み、紐１２で個縛すれば、犬の便座をコンパクトに畳めることができる。即ち、輸送経費の削減や限られた商品売場の保管用スペースを縮小化でき、安価で大量生産できる普及型の犬の便座である。
【０００８】
図８は、請求項３に対応する実施形態を示す斜視図である。図示するように、２個の円形リング１４は、２枚の支柱１５及び１枚の支柱１６により連結し、円筒形にした便座である。当該支柱１５には、円形リング１４と係合し回転自在な４個の軸１７がある。
支柱１６には、２個の円形リング１４の突起に係合し回転自在な２個の軸１８がある。又、支柱１６の下端は、Ｌ字型に曲げられている。当該支柱１６の曲げられた隙間に、取っ手２を嵌挿し、取っ手２と摺動自在に連結する軸１９がある。
又、支柱１６上部には、支柱１６の一部を曲げて、取っ手２を垂直に保持するためのフック２０がある。
当該取っ手２は円筒形の便座に平行にすることができるが、水平位置から下には回転できないように、［０００６］で説明したように取っ手２の先端部にストッパーが用意されている。又、円筒形にした便座の底部には糞便を支える横板２１がある。
取っ手２を持って、容易に犬の糞便位置に持って行くことができ円筒形の便座の内側には、図示していない上部を折り曲げたポリエチレン袋３を入れ、そのポリエチレン袋３の内側にトイレットペーパーのような水溶性紙袋４を装着した構造で、用便後は糞便の重量を横板２１及びポリエチレン袋３で受け止めるため、紙袋が破れることはない。糞便後、水溶性紙袋４の上部を閉じれば糞便は隠れる。
図８の取っ手２に矢印を付けたように、取っ手２を上方に畳み、支柱１６の上部にあるフック２０に取っ手２を掛ける。当該取っ手２を持って、犬の便座を移動する。
又、取っ手２を回動し、フック２０に取っ手２を掛け且つリング１４を上方に畳めば、軸１７及び軸１８でリング１４は回動し図９に示すように場所を取らない保管ができる。
商品をコンパクトに畳めることが経済的な重要な要素となる。即ち、輸送経費の削減や限られた商品売場の保管用スペースの縮小化は、総合的な商品価値の判定条件になる。保管に場所を取らない構造も優れた特徴の１つである。
【０００９】
【発明の効果】
以上説明してきたように、本発明によれば、犬の排便時の習性を利用し簡単な構造で簡便な使用法及び流通・保管の経済性を備え且つファッション性を兼ね備えた犬用の便座を提供することにより糞の放置を減少させ、地域の環境改善に多大に寄与できる。
【図面の簡単な説明】
【図１】本発明のカップ状の犬の便座の斜視図である。
【図２】本発明の犬の便座の実施図である。
【図３】本発明の円筒形撥条状の犬の便座の斜視図である。
【図３−１】図３の便座の部分拡大斜視図である。
【図３−２】図３−１の便座の部分斜視図である。
【図４】本発明の円筒形撥条状の犬の便座の組図である。
【図５】本発明の円筒形撥条状の犬の便座の収納図である。
【図６】本発明の円筒形撥条状の犬の便座の別の実施形態の斜視図である。
【図７】本発明の円筒形撥条状の犬の便座の収納図である。
【図８】本発明の円形リング状の犬の便座の斜視図である。
【図９】本発明の円形リング状の犬の便座の収納図である。
【符号の説明】
１　カップ状便座
２、２−１　取っ手
３　合成樹脂製袋
４　水溶性紙袋
５　犬の糞
６　ステンレス撥条
７、７−１、１５、１６　支柱
８、１０、１７、１８、１９　軸
９　軸受け部材
１１、２０　フック
１２　紐
１３　穴
１４　円形リング
２１　横板
【図１】
2004016006.tif 000003
【図２】
2004016006.tif 000004
【図３】
2004016006.tif 000005
【図３−１】
2004016006.tif 000006
【図３−２】
2004016006.tif 000007
【図４】
2004016006.tif 000008
【図５】
2004016006.tif 000009
【図６】
2004016006.tif 000010
【図７】
2004016006.tif 000011
【図８】
2004016006.tif 000012
【図９】
2004016006.tif 000013